【手続補正書】
【提出日】平成28年3月15日(2016.3.15)
【手続補正１】
【補正対象書類名】明細書
【補正対象項目名】０３５９
【補正方法】変更
【補正の内容】
【０３５９】
【表１３】
2015509813.tif 000001
【手続補正２】
【補正対象書類名】明細書
【補正対象項目名】０３６１
【補正方法】変更
【補正の内容】
【０３６１】
【表１４】
2015509813.tif 000002
【手続補正３】
【補正対象書類名】特許請求の範囲
【補正対象項目名】全文
【補正方法】変更
【補正の内容】
【特許請求の範囲】
【請求項１】
出口を含む加圧ガス源と；
入口と出口とを含む加湿ユニットであって、前記加圧ガス源の前記出口が前記加湿ユニットの前記入口に接続される、加湿ユニットと；
前記加湿ユニットの前記出口に接続される送気部品であって、前記加圧ガス源と前記送気部品との間に流路が画定される、送気部品と；
前記流路の少なくとも一部分を画定する壁であって、開口部を含む壁と；
前記流路内のガス特性を検知するように適合されたセンサであって、検知部分を含み、前記検知部分が前記流路内に位置決めされるようにして前記開口部を通って延在するセンサと；
前記壁に固定され、且つ前記開口部を気密封止するバリアであって、前記バリアにより前記センサが前記流路から隔離されるようにして前記センサの少なくとも一部分が前記バリア内に着脱自在に配設される、バリアと
を含む加湿装置。
【請求項２】
前記バリアが前記壁に着脱自在に固定される、請求項１に記載の装置。
【請求項３】
前記バリアが、前記流路外に位置決めされる装着部分を含む、請求項１に記載の装置。
【請求項４】
前記バリアが、第１の厚さを有する領域と、前記第１の厚さ未満である第２の厚さを有する領域とを含み、前記第２の厚さを有する前記領域が、前記センサの前記検知部分に隣接して位置し、且つ前記第１の厚さを有する前記領域が、前記装着部分と前記第２の厚さを有する前記領域との間に位置する、請求項３に記載の装置。
【請求項５】
前記バリアが先端部分を含み、前記先端部分が前記センサの前記検知部分と接触するように適合され、前記先端部分が略一定の厚さを含んでいる、請求項１に記載の装置。
【請求項６】
前記バリアが伸張し、それにより前記センサを前記開口部を通じて前記流路内まで延在させることができるように適合される、請求項１に記載の装置。
【請求項７】
前記バリアが先端部分を含み、前記バリアは、前記先端部分が前記センサの前記検知部分と接触して伸張するように適合され、前記バリアの前記伸張によって前記先端部分の厚さが減少する、請求項６に記載の装置。
【請求項８】
前記加湿ユニットが加湿チャンバを含み、前記加湿チャンバが前記装置と着脱自在であり、前記加湿チャンバがポートを含み、前記壁は、前記ポートに前記開口部が位置するようにして前記ポートの少なくとも一部分を形成する、請求項１に記載の装置。
【請求項９】
前記加湿ユニットがカートリッジを含み、前記センサが前記カートリッジによって支持され、前記加湿チャンバが前記カートリッジに着脱自在に取付け可能である、請求項８に記載の装置。
【請求項１０】
前記装置からの前記加湿チャンバの取外し及び交換を繰り返しても、前記センサの前記検知部分が前記流路内に一貫して位置決めされるようにして前記センサを支持する、請求項８に記載の装置。
【請求項１１】
前記センサが第１のサーミスタと第２のサーミスタとを含み、前記バリアが、前記第１のサーミスタを受け入れる第１のスリーブと、前記第２のサーミスタを受け入れる第２のスリーブとを含む、請求項１に記載の装置。
【請求項１２】
前記第１のサーミスタが被加熱型であり、且つ前記第２のサーミスタが非被加熱型である、請求項１１に記載の装置。
【請求項１３】
前記バリアが略円筒形装着部分と略釣鐘型ヘッドとを含む、請求項１に記載の装置。
【請求項１４】
前記略釣鐘型ヘッドが複数の撓曲可能なリブを含む、請求項１３に記載の装置。
【請求項１５】
前記複数のリブが三角形であり、前記釣鐘型ヘッドの周囲に位置決めされる、請求項１４に記載の装置。
【請求項１６】
前記複数のリブの１つ以上は、リブ幅対離間幅の比が約３．７である、請求項１４に記載の装置。
【手続補正４】
【補正対象書類名】図面
【補正対象項目名】全図
【補正方法】変更
【補正の内容】
【図１】
2015509813.tif 000003
【図１Ａ】
2015509813.tif 000004
【図１Ｂ】
2015509813.tif 000005
【図２】
2015509813.tif 000006
【図２Ａ】
2015509813.tif 000007
【図２Ｂ】
2015509813.tif 000008
【図２Ｃ】
2015509813.tif 000009
【図２Ｄ】
2015509813.tif 000010
【図３】
2015509813.tif 000011
【図４】
2015509813.tif 000012
【図５】
2015509813.tif 000013
【図６】
2015509813.tif 000014
【図７】
2015509813.tif 000015
【図８】
2015509813.tif 000016
【図９】
2015509813.tif 000017
【図１０】
2015509813.tif 000018
【図１１】
2015509813.tif 000019
【図１２】
2015509813.tif 000020
【図１３】
2015509813.tif 000021
【図１４】
2015509813.tif 000022
【図１５】
2015509813.tif 000023
【図１６】
2015509813.tif 000024
【図１７】
2015509813.tif 000025
【図１８Ａ】
2015509813.tif 000026
【図１８Ｂ】
2015509813.tif 000027
【図１８Ｃ】
2015509813.tif 000028
【図１８Ｅ】
2015509813.tif 000029
【図１８Ｆ】
2015509813.tif 000030
【図１８Ｇ】
2015509813.tif 000031
【図１９Ａ】
2015509813.tif 000032
【図１９Ｂ】
2015509813.tif 000033
【図１９Ｃ】
2015509813.tif 000034
【図２０Ａ】
2015509813.tif 000035
【図２０Ｂ】
2015509813.tif 000036
【図２０Ｃ】
2015509813.tif 000037
【図２１】
2015509813.tif 000038
【図２２】
2015509813.tif 000039
【図２３】
2015509813.tif 000040
【図２５】
2015509813.tif 000041
【図２６】
2015509813.tif 000042
【図２７】
2015509813.tif 000043
【図２８】
2015509813.tif 000044
【図２９】
2015509813.tif 000045
【図３０】
2015509813.tif 000046
【図３１】
2015509813.tif 000047
【図３２】
2015509813.tif 000048
【図３３】
2015509813.tif 000049
【図３４】
2015509813.tif 000050
【図３５】
2015509813.tif 000051
【図３６】
2015509813.tif 000052
【図３７Ａ】
2015509813.tif 000053
【図３７Ｂ】
2015509813.tif 000054
【図３７Ｃ】
2015509813.tif 000055
【図３７Ｄ】
2015509813.tif 000056
【図３７Ｅ】
2015509813.tif 000057
【図３７Ｆ】
2015509813.tif 000058
【図３７Ｇ】
2015509813.tif 000059
【図３８Ａ】
2015509813.tif 000060
【図３８Ｂ】
2015509813.tif 000061
【図３８Ｃ】
2015509813.tif 000062
【図３８Ｄ】
2015509813.tif 000063
【図３８Ｅ】
2015509813.tif 000064
【図３８Ｆ】
2015509813.tif 000065
【図３９Ａ】
2015509813.tif 000066
【図３９Ｂ】
2015509813.tif 000067
【図４０Ａ】
2015509813.tif 000068
【図４０Ｂ】
2015509813.tif 000069
【図４０Ｃ】
2015509813.tif 000070
【図４０Ｄ】
2015509813.tif 000071
【図４０Ｅ】
2015509813.tif 000072
【図４０Ｆ】
2015509813.tif 000073
【図４０Ｇ】
2015509813.tif 000074
【図４０Ｈ】
2015509813.tif 000075
【図４１Ａ】
2015509813.tif 000076
【図４１Ｂ】
2015509813.tif 000077
【図４１Ｃ】
2015509813.tif 000078
【図４１Ｄ】
2015509813.tif 000079
【図４１Ｅ】
2015509813.tif 000080
【図４１Ｆ】
2015509813.tif 000081
【図４１Ｇ】
2015509813.tif 000082
【図４１Ｈ】
2015509813.tif 000083
【図４１Ｉ】
2015509813.tif 000084
【図４１Ｊ】
2015509813.tif 000085
【図４１Ｋ】
2015509813.tif 000086
【図４１Ｌ】
2015509813.tif 000087
【図４１Ｍ】
2015509813.tif 000088
【図４１Ｎ】
2015509813.tif 000089
【図４１Ｏ】
2015509813.tif 000090
【図４１Ｐ】
2015509813.tif 000091
【図４１Ｑ】
2015509813.tif 000092
【図４２Ａ】
2015509813.tif 000093
【図４２Ｂ】
2015509813.tif 000094
【図４２Ｃ】
2015509813.tif 000095
【図４２Ｄ】
2015509813.tif 000096
【図４２Ｅ】
2015509813.tif 000097
【図４２Ｆ】
2015509813.tif 000098
【図４３Ａ】
2015509813.tif 000099
【図４３Ｂ】
2015509813.tif 000100
【図４３Ｃ】
2015509813.tif 000101
【図４３Ｄ】
2015509813.tif 000102
【図４３Ｅ】
2015509813.tif 000103
【図４３Ｆ】
2015509813.tif 000104
【図４３Ｇ】
2015509813.tif 000105
【図４３Ｈ】
2015509813.tif 000106
【図４３Ｉ】
2015509813.tif 000107
【図４３Ｊ】
2015509813.tif 000108
【図４３Ｋ】
2015509813.tif 000109
【図４３Ｌ】
2015509813.tif 000110
【図４４Ａ】
2015509813.tif 000111
【図４４Ｂ】
2015509813.tif 000112
【図４４Ｃ】
2015509813.tif 000113
【図４４Ｄ】
2015509813.tif 000114
【図４４Ｅ】
2015509813.tif 000115
【図４４Ｆ】
2015509813.tif 000116
【図４４Ｇ】
2015509813.tif 000117
【図４４Ｈ】
2015509813.tif 000118
【図４４Ｉ】
2015509813.tif 000119
【図４５Ａ】
2015509813.tif 000120
【図４５Ｂ】
2015509813.tif 000121
【図４５Ｃ】
2015509813.tif 000122
【図４５Ｄ】
2015509813.tif 000123
【図４５Ｅ】
2015509813.tif 000124
【図４６Ａ】
2015509813.tif 000125
【図４６Ｂ】
2015509813.tif 000126
【図４６Ｃ】
2015509813.tif 000127
【図４６Ｄ】
2015509813.tif 000128
【図４６Ｅ】
2015509813.tif 000129
【図４６Ｆ】
2015509813.tif 000130
【図４７】
2015509813.tif 000131
【図４８Ａ】
2015509813.tif 000132
【図４８Ｂ】
2015509813.tif 000133
【図４８Ｃ】
2015509813.tif 000134
【図４８Ｄ】
2015509813.tif 000135
【図４８Ｅ】
2015509813.tif 000136
【図４８Ｆ】
2015509813.tif 000137
【図４９Ａ】
2015509813.tif 000138
【図４９Ｂ】
2015509813.tif 000139
【図４９Ｃ】
2015509813.tif 000140
【図５０Ａ】
2015509813.tif 000141
【図５０Ｂ】
2015509813.tif 000142
【図５０Ｃ】
2015509813.tif 000143
【図５０Ｄ】
2015509813.tif 000144
【図１８Ｄ】
2015509813.tif 000145
【図２４】
2015509813.tif 000146
【図３７Ｈ】
2015509813.tif 000147
【図３７Ｉ】
2015509813.tif 000148
【図３７Ｊ】
2015509813.tif 000149
【図３７Ｋ】
2015509813.tif 000150
【図３７Ｌ】
2015509813.tif 000151
【図３７Ｖ】
2015509813.tif 000152
【図３７Ｗ】
2015509813.tif 000153
【図３７Ｘ】
2015509813.tif 000154
【図３７Ｙ】
2015509813.tif 000155
【図３７Ｚ】
2015509813.tif 000156